(57)【要約】      （修正有）【課題】空気の量及び流れを促進するファンおよびファンフレームを提供する。【解決手段】当該ファン１は、ファンフレーム１０とファンホイール１２を有する。該ファンフレームは、フレーム本体１０２と第一波状構造１０６を有する。該フレーム本体はさらに空気導入側Ｓ１と空気排出側Ｓ２を有し、且つ空気導入側Ｓ１が空気排出側Ｓ２の反対側に配されている。第一波状構造１０６はフレーム本体１０２の空気導入側Ｓ１に形成されている。該第一波状構造は複数の第一山部Ｐ１と複数の第一谷部Ｖ１を有し、該第一山部と該第一谷部は交互に配列される。ファンホイール１２は回転自在にファンフレーム１０内に配設される。【選択図】図１
0003186598.tif 000002
【実用新案登録請求の範囲】
【請求項１】
ファンフレームと、前記ファンフレーム内に回転自在に配置されたファンホイールを有するファンであって、
前記ファンフレームは、
空気導入側と前記空気導入側の反対側に設けられる空気排出側とを有するフレーム本体と、
前記フレーム本体の前記空気導入側に形成され、複数の第一山部と複数の第一谷部を交互に配列してなる第一波状構造と、
を備えることを特徴とするファン。
【請求項２】
前記ファンホイールが複数の羽を有し、前記羽の縁部の最頂点が前記第一山部と前記第一谷部の間に位置する請求項１に記載のファン。
【請求項３】
前記フレーム本体の高さをHとし、前記第一山部と前記第一谷部との距離を第一距離D１とした場合、０.５H≦D１≦０.６Hである請求項１に記載のファン。
【請求項４】
前記ファンフレームは、前記フレーム本体の前記空気排出側に形成される第二波状構造を有し，前記第二波状構造が複数の第二山部と複数の第二波谷を有し、前記第二山部と前記第二波谷が交互に配列される請求項１に記載のファン。
【請求項５】
前記第一山部と前記第一谷部との距離を第一距離D１とし、前記第二山部と前記第二波谷との距離を第二距離D２とした場合、D１>D２である請求項４に記載のファン。
【請求項６】
前記第一山部が前記第二山部の反対側に配置され、前記第一谷部が前記第二波谷の反対側に配置される請求項４に記載のファン。
【請求項７】
前記第一山部が前記第二波谷の反対側に配置され、前記第一谷部が前記第二山部の反対側に配置される請求項４に記載のファン。
【請求項８】
前記第二山部と前記第二波谷の数は前記第一山部と前記第一谷部の数より多い請求項４に記載のファン。
【請求項９】
空気導入側と空気排出側を有し、前記空気導入側が前記空気排出側の反対側に配置されるフレーム本体と、
前記フレーム本体の前記空気導入側に設置され、交互に配列される複数の第一山部と複数の第一谷部を有する第一波状構造と、
を有するファンフレーム。
【請求項１０】
前記フレーム本体の高さをHとし、前記第一山部と前記第一谷部との距離を第一距離D１とした場合、０.５H≦D１≦０.６Hである請求項９に記載のファンフレーム。
【請求項１１】
前記フレーム本体の前記空気排出側に形成され、交互に配列される複数の第二山部と複数の第二波谷を備える第二波状構造をさらに有する請求項９に記載のファンフレーム。
【請求項１２】
前記第一山部と前記第一谷部との距離を第一距離D１とし、前記第二山部と前記第二波谷との距離を第二距離D２とした場合、D１>D２である請求項１１に記載のファンフレーム。
【請求項１３】
前記第一山部が前記第二山部の反対側に配置され、前記第一谷部が前記第二波谷の反対側に配置される請求項１１に記載のファンフレーム。
【請求項１４】
前記第一山部が前記第二波谷の反対側に配置され、前記第一谷部が前記第二山部に配置される請求項１１に記載のファンフレーム。
【請求項１５】
前記第二山部と前記第二波谷の数は、前記第一山部と前記第一谷部の数より多い請求項１１に記載のファンフレーム。
【考案の詳細な説明】
【技術分野】
【０００１】
本考案は、ファンおよびファンフレームに関し、特に波状構造を採用して空気の量及び空気の流れを促進するファンフレームおよび前記ファンフレームを用いたファンに関するものである。
【背景技術】
【０００２】
冷却装置は、電子機器の発展にとって極めて重要である。電子機器が運転するときに、回路に流れる電流と抵抗によって不必要な発熱が生じるため、これらの熱を効果的に排出せず、電子機器の内部の電子部品に蓄積すると、電子部品が上昇する温度により破損する恐れがある。従って、冷却装置の優劣は電子機器の運転に大きな影響を与える。
【０００３】
既存の電子機器の冷却装置として、ヒートパイプの一端を、発熱する電子部品に連結し、他端を放熱フィンに連結し、ファンにより放熱フィンの熱を外部に放熱するものがある。従って、ファンの空気の量および空気の流れは、冷却装置全体の散熱効果に一定の影響を与える。
【考案の概要】
【考案が解決しようとする課題】
【０００４】
しかしながら、一般にファンのファンフレームの空気導入側と空気排出側が平坦な形状をしているため、ファンによってファンフレームに導入される空気の量および空気の流れが制限され、冷却装置全体の散熱効果を低下させることになる。
【０００５】
本考案は、上述の課題に鑑みてなされたものであり、波状構造を採用して空気の量及び空気の流れを増強するファンフレームおよび当該ファンフレームを使用するファンを提供するものである。
【課題を解決するための手段】
【０００６】
本考案の一実施例によれば、ファンが提供される。前記ファンは、ファンフレームとファンホイールを有する。前記ファンフレームは、フレーム本体と第一波状構造を有する。前記フレーム本体はさらに空気導入側と空気排出側を有し、且つ前記空気導入側が空気排出側の反対側に配されている。第一波状構造はフレーム本体の空気導入側に形成されている。前記第一波状構造は複数の第一山部と複数の第一谷部を有し、第一山部と第一谷部は交互に配列される。ファンホイールは回転自在にファンフレーム内に配設される。
【０００７】
本実施例において、ファンフレームは、フレーム本体の空気排出側に第二波状構造をさらに有し、前記第二波状構造は複数の第二山部と複数の第二谷部を有し、且つ、前記第二山部と第二谷部は交互に配列される。
【０００８】
本考案の他の実施例によれば、ファンフレームが提供される。前記ファンフレームは、フレーム本体と第一波状構造を有する。前記フレーム本体は、さらに空気導入側と空気排出側を有し、且つ前記空気導入側が空気排出側の反対側に配されている。前記第一波状構造はフレーム本体の空気導入側に形成されている。第一波状構造は複数の第一山部と複数の第一谷部を有し、第一山部と第一谷部は交互に配列される。
【０００９】
本実施例において、ファンフレームは、フレーム本体の空気排出側に第二波状構造をさらに有し、前記第二波状構造は複数の第二山部と複数の第二谷部を有し、且つ、前記第二山部と第二谷部は交互に配列される。
【考案の効果】
【００１０】
上述の様に、本考案のファンは、ファンフレームのフレーム本体の空気導入側に第一波状構造が形成されているため、ファンホイールが回転するときに、第一波状構造は、ファンによってファンフレームに導入される空気の量および空気の流れを増強することができ、ファンの散熱効果を高めることができる。また、本考案のファンは、ファンフレームのフレーム本体の空気排出側に第二波状構造が形成されているため、ファンによってファンフレームから流出する空気の量および空気の流れを増強することができ、ファンの散熱効果を高めることができる。
【００１１】
以下の詳細な説明と図面を参照すると、本考案の特徴と要旨がより明らかになるであろう。
【図面の簡単な説明】
【００１２】
【図１】本考案の第一実施例のファンの上から見た斜視図である。
【図２】図１のファンの下から見た斜視図である。
【図３】図１のファンの分解図である。
【図４】図１のファンの側面図である。
【図５】本考案の第二実施例のファンフレームの側面図である。
【図６】本考案の第三実施例のファンフレームの側面図である。
【図７】本考案の第四実施例のファンフレームの側面図である。
【図８】本考案の第五実施例のファンフレームの側面図である。
【考案を実施するための形態】
【実施例】
【００１３】
以下、図１から図４を参照して説明する。図１は本考案の第一実施例のファンの上から見た斜視図である。図２は図１のファンの下から見た斜視図である。図３は図１のファンの分解図である。図４は図１のファンの側面図である。図１から図４に示されたように、ファン１はファンフレーム１０とファンホイール１２を有する。ファンホイール１２はファンフレーム１０の底部の支持スリーブ１００（３図を参照）により回転自在にファンフレーム１０に支持される。ファンホイール１２は複数の羽１２０を有する。
【００１４】
ファンフレーム１０は、フレーム本体１０２と、第一波状構造１０４と第二波状構造１０６を有する。フレーム本体１０２は空気導入側S１と空気排出側S２を有し、且つ空気導入側S１は空気排出側S２の反対側に配置されている。図１に示されたように、第一波状構造１０４は、フレーム本体１０２の空気導入側S１に形成され、複数の第一山部P１と複数の第一谷部V１を交互に配列してなる。また、図２に示されたように、第二波状構造１０６は、フレーム本体１０２の空気排出側S２に形成され、複数の第二山部P２と複数の第二波谷V２を交互に配列してなる。本実施例においては、第一波状構造１０４はフレーム本体１０２の空気導入側S１の円形側の縁に形成され、且つ第二波状構造１０６はフレーム本体１０２の空気排出側S２の円形側の縁に形成されているが、本考案はこれらに限定されない。また、第一山部P１は第二山部P２の反対側に配置され、且つ、第一谷部V１は第二波谷V２の反対側に配置されている。
【００１５】
図４に示されたように、フレーム本体１０２において、高さをHとし、第一山部P１と第一谷部V１との距離を第一距離D１とし、第二山部P２と第二波谷V２との距離を第二距離D２とすると、本実施例では、０.５H≦D１≦０.６H、且つD１=D２である。但し、本考案はこれらに限定されない。また、ファン１を組み立てた後に、羽１２０の縁部の最頂点HPは第一山部P１と第一谷部V１との間にある。このようにして、ファンホイール１２が回転するときに、第一波状構造１０４により、羽１２０によってファンフレーム１０のフレーム本体１０２に導入された空気の量および空気の流れを増強し、且つ、第二波状構造１０６により羽１２０によってファンフレーム１０のフレーム本体１０２から排出される空気の量および空気の流れを増強することができるため、ファン１の散熱効果を高めることができる。
【００１６】
図４に加え、図５を参照して説明する。図５は、本考案の第二実施例のファンフレーム２０の側面図である。ファンフレーム２０と上述したファンフレーム１０との主な相違点は、第一波状構造１０４の第一山部P１と第一谷部V１との間の第一距離D１が第二波状構造１０６の第二山部P２と第二波谷V２との間の第二距離D２より大きい（即ち、D１>D２）ことにある。図１から図４の中のファンフレーム１０を図５のファンフレーム２０で代替することができる。このようにして、ファンホイール１２が回転するときに、第一波状構造１０４により羽１２０によってファンフレーム１０のフレーム本体１０２に導入される空気の量および空気の流れをさらに増強することができ、よって、ファンの散熱効果を高めることができる。また、図５と図４の中で同一の符号で示した構成要素は、その作用と原理が概ね同じであるため、ここで、重複な説明をしない。
【００１７】
図４に加え、図６を参照しながら説明する。図６は本考案の第三実施例のファンフレーム３０の側面図である。ファンフレーム３０と上述したファンフレーム１０との主な相違点は、第一波状構造１０４の第一山部P１が第二波状構造１０６の第二波谷V２の反対側に配置され、且つ、第一波状構造１０４の第一谷部V１が第二波状構造１０６の第二山部P２の反対側に配置されていることにある。言い換えれば、第一山部P１、第一谷部V１、第二山部P２と第二波谷V２の相対位置は、必要な空気の量および空気の流れに応じて調整することができる。また、図６と図４の中で同一の符号で示した構成要素は、その作用と原理が概ね同じであるため、ここで、重複な説明をしない。
【００１８】
図４に加え、図７を参照しながら説明する。図７は本考案の第四実施例のファンフレーム４０の側面図である。ファンフレーム４０と上述したファンフレーム１０との主な相違点は、第二波状構造１０６の第二山部P２と第二波谷V２の数が第一波状構造１０４の第一山部P１と第一谷部V１の数より多いことにある。言い換えれば、第一山部P１、第一谷部V１、第二山部P２と第二波谷V２の数は必要な空気の量および空気の流れに応じて調整することができる。また、図７と図４の中で同一の符号で示した構成要素は、その作用と原理が概ね同じであるため、ここで、重複な説明をしない。
【００１９】
図４に加え、図８を参照しながら説明する。図８は本考案の第五実施例のファンフレーム５０の側面図である。ファンフレーム５０と上述したファンフレーム１０との主な相違点は、ファンフレーム５０が第一波状構造１０４のみを有し、第二波状構造１０６を有しないことにある。言い換えれば、図１から図４の中のファンフレーム１０を図８のファンフレーム５０で代替した場合、ファンフレーム５０は、第一波状構造１０４を利用して羽１２０によってファンフレーム１０のフレーム本体１０２に導入される空気の量および空気の流れを増強し、ファンの散熱効果を高める。また、図８と図４の中で同一の符号で示した構成要素は、その作用と原理が概ね同じであるため、ここで、重複な説明をしない。
【００２０】
上述のように、本考案に係るファンフレームは、フレーム本体の空気導入側に第一波状構造が形成されているため、ファンホイールが回転するときに、当該第一波状構造は羽によってファンフレームに導入される空気の量および空気の流れを増強することができ、よってファンの散熱効果を高めることができる。さらに、本考案に係るファンフレームは、フレーム本体の空気排出側に第二波状構造を形成することにより、羽によってファンフレームから排出される空気の量および空気の流れを増強することができ、よって、ファンの散熱効果を高めることができる。
【００２１】
以上、本考案の好ましい実施例を説明したが、本考案の請求の範囲に基づいて行った均等な変更や記載は、本考案の技術的範囲に属する。
【符号の説明】
【００２２】
１      ファン
１２      ファンホイール
１０２      フレーム本体
１０６      第二波状構造
S１      空気導入側
P１      第一山部
V１      第一谷部
H      高さ
D２      第二距離
１０、２０、３０、４０、５０  ファンフレーム
１００      支持スリーブ
１０４      第一波状構造
１２０      羽
S２      空気排出側
P２      第二山部
V２      第二波谷
D１      第一距離
HP      羽の縁部の最頂点
【図１】
0003186598.tif 000003
【図２】
0003186598.tif 000004
【図３】
0003186598.tif 000005
【図４】
0003186598.tif 000006
【図５】
0003186598.tif 000007
【図６】
0003186598.tif 000008
【図７】
0003186598.tif 000009
【図８】
0003186598.tif 000010